(57)【要約】【課題】本発明は、定着ローラの温度をヒステリシス制御中に使用開始条件が発生すると通常動作制御に切り換えて定着ローラを速やかに温度上昇させる画像形成装置に関する。【解決手段】画像形成装置１は、待機状態時に、定着サーミスタ６１ａ、６１ｂの検出温度と制御目標温度に基づいて、ハロゲンヒータ６０ａ、６０ｂのうち点灯させるハロゲンヒータ６０ａ、６０ｂを決定して、当該決定したハロゲンヒータ６０ａ、６０ｂがオンかオフかによって使用する点灯間隔テーブルとして、オン時用点灯間隔テーブルとオフ時用点灯間隔テーブルを切り換えて使用して定着ローラ２７の点灯間隔を決定するヒステリシス制御を行うとともに、当該ヒステリシス制御中に使用開始条件が発生すると、ヒステリシス制御から通常動作制御に切り換える。【選択図】          図４
2005202100.tif 000002
【特許請求の範囲】
【請求項１】
コピー機能、ファクシミリ機能、プリンタ機能等の複数の機能モードを備え、画像データに基づいて用紙にトナー画像を形成して、その配光分布の異なる複数の定着ヒータで加熱される定着ローラを用いて当該用紙上のトナー画像を当該用紙に定着させるとともに、当該定着ローラの温度を温度検出手段で検出して、当該温度検出手段の検出温度と制御目標温度に基づいて、前記複数の定着ヒータのうち点灯させる前記定着ヒータを決定し、点灯間隔テーブルを参照して当該点灯させる定着ヒータの点灯間隔を決定する画像形成装置において、前記点灯間隔テーブルとして、前記画像形成動作時に使用する画像形成時点灯間隔テーブルの他に、待機状態に前記定着ヒータがオンしているときに次の点灯間隔を決定するのに使用するオン時用点灯間隔テーブルと、待機状態に前記定着ヒータがオフしているときに次の点灯間隔を決定するのに使用するオフ時用点灯間隔テーブルと、を備え、前記待機状態時に、前記温度検出手段の検出温度と制御目標温度に基づいて、前記複数の定着ヒータのうち点灯させる前記定着ヒータを決定して、当該決定した定着ヒータがオンであるかオフであるかによって前記使用する点灯間隔テーブルとして、前記オン時用点灯間隔テーブルと前記オフ時用点灯間隔テーブルを切り換えて使用して、前記定着ローラの点灯間隔を決定するヒステリシス制御を行うとともに、当該ヒステリシス制御中に前記機能モードの使用開始条件が発生すると、当該ヒステリシス制御から前記画像形成時点灯間隔テーブルを参照して前記定着ヒータの点灯間隔を制御する通常動作制御に切り換えることを特徴とする画像形成装置。
【請求項２】
前記画像形成装置は、各種キー操作を行う操作手段を備え、前記コピー機能モードでの前記ヒステリシス制御状態において、前記使用開始条件として、前記操作手段でのキー操作、原稿のセット操作等のコピー機能の使用開始を示す操作を検出すると、前記ヒステリシス制御から前記通常動作制御に切り換えることを特徴とする請求項１記載の画像形成装置。
【請求項３】
前記画像形成装置は、前記ファクシミリ機能モードでの前記ヒステリシス制御状態において、前記使用開始条件として、ファクシミリ受信を検出すると、前記ヒステリシス制御から前記通常動作制御に切り換えることを特徴とする請求項１記載の画像形成装置。
【請求項４】
前記画像形成装置は、前記プリンタ機能モードでの前記ヒステリシス制御状態において、前記使用開始条件として、印刷要求を検出すると、前記ヒステリシス制御から前記通常動作制御に切り換えることを特徴とする請求項１記載の画像形成装置。
【発明の詳細な説明】
【技術分野】
【０００１】
本発明は、画像形成装置に関し、詳細には、定着ローラの温度をヒステリシス制御している際に使用開始条件が発生すると、通常動作時の点灯間隔テーブルを使用した通常動作制御に切り換えて、定着ローラを速やかに温度上昇させて画像品質を向上させる画像形成装置に関する。
【背景技術】
【０００２】
近年、環境保全の目的から、機器のエネルギ消費効率向上が重要になってきている。また、ユザー側にとっても、使用してないときの機器のエネルギ消費は経済的にも無駄である。
【０００３】
そこで、近年、複写装置、ファクシミリ装置、プリンタ及びコピー機能、ファクシミリ機能、プリンタ機能等の複数の機能を備えた複合装置（マルチファンクション装置）等の画像形成装置においても、電力エネルギー消費効率の向上と操作性／利便性の向上の観点からウオームアップ時間の短縮された定着ヒータを有する画像形成装置が多い。
【０００４】
ウオームアップ時間を短縮するために、従来、熱容量が小さくかつ熱抵抗の小さい薄肉の定着ローラが使用され、また、当該定着ローラを加熱する加熱源として、大電力のハロゲンヒータ、または、複数（２本）構成のハロゲンヒータが使用されることが多い。
【０００５】
そして、ウォームアップ時間の短い定着装置は、容量が小さくかつ熱抵抗の小さい定着ローラを使用しているため、環境変動や通紙する用紙のサイズ、厚さ、種類によって状態が大きく変動する。
【０００６】
そこで、本出願人は、先に、定着ローラの制御温度と検出温度からデータテーブルを検索し、データテーブルの検索結果から定着ローラを加熱するヒータの点灯間隔を決定するヒータ温度制御方法を提案している（特許文献１参照）。
【０００７】
すなわち、この従来技術は、複雑な制御を用いることなく、定着ローラの温度変化に影響する環境変動や通紙する用紙のサイズ、厚さ、種類等の外的要因の影響を抑えて、定着ローラの温度制御を行おうとしている。
【０００８】
【特許文献１】特開平７−１７５３６３号公報
【発明の開示】
【発明が解決しようとする課題】
【０００９】
しかしながら、上記従来技術にあっては、可視性の良いテーブル参照方式を用いているため、諸条件の変化に対する高い適用能力を持ちながらメンテナンス性を良好なもとすることはできるが、より一層効率的できめ細かい定着部材の温度制御を行って、画像品質を向上させる上で、改良の必要があった。
【００１０】
すなわち、近年の欧州におけるフリッカーのような規格規制への対応やヒータ寿命を延ばす目的から印刷動作をしていない待機時のヒータ点灯間隔を長くする（ヒータのオフからオン、オンからオフへ変化する回数を少なくする）という要求が発生してきている。
【００１１】
そこで、従来、電子写真方式の画像形成装置においては、例えば、定着部材を加熱する加熱ヒータのオン時に使用するデータテーブルとオフ時に使用するデータテーブルを異なるものとして、制御温度を変えずに、制御にヒステリシスを持たせ、オン／オフの切換回数を減らすことが行われている。
【００１２】
ところが、加熱ヒータのオン／オフの切換間隔を少なくすることは、加熱ヒータの寿命を延ばすことに効果がある一方で、副作用として、定着温度の変動が大きくなるという問題があり、温度が高い状態からの印刷出力時と低い状態からの印刷出力時とで１枚目の定着性が異なり、画像品質が悪化するという問題がある。
【００１３】
そこで、請求項１記載の発明は、点灯間隔テーブルとして、画像形成動作時に使用する画像形成時点灯間隔テーブルの他に、待機状態に定着ヒータがオンしているときに次の点灯間隔を決定するのに使用するオン時用点灯間隔テーブルと、待機状態に前記定着ヒータがオフしているときに次の点灯間隔を決定するのに使用するオフ時用点灯間隔テーブルと、を用意し、待機状態時に、温度検出手段の検出温度と制御目標温度に基づいて、複数の定着ヒータのうち点灯させる定着ヒータを決定して、当該決定した定着ヒータがオンであるかオフであるかによって使用する点灯間隔テーブルとして、オン時用点灯間隔テーブルとオフ時用点灯間隔テーブルを切り換えて使用して、定着ローラの点灯間隔を決定するヒステリシス制御を行うとともに、当該ヒステリシス制御中に機能モードの使用開始条件が発生すると、当該ヒステリシス制御から画像形成時点灯間隔テーブルを参照して定着ヒータの点灯間隔を制御する通常動作制御に切り換えることにより、待機状態での定着ヒータのオン／オフの回数を減らすとともに、機能モードの使用開始条件が発生すると、速やかに定着ローラを加熱させ、定着ヒータの寿命を長くするとともに、１枚目の転写紙の定着を適切な定着温度で行って、画像品質を向上させる画像形成装置を提供することを目的としている。
【００１４】
請求項２記載の発明は、コピー機能モードでのヒステリシス制御状態において、使用開始条件として、各種キー操作を行う操作手段でのキー操作、原稿のセット操作等のコピー機能の使用開始を示す操作を検出すると、ヒステリシス制御から通常動作制御に切り換えることにより、待機状態での定着ヒータのオン／オフの回数を減らすとともに、コピー機能の使用開始条件が発生すると、速やかに定着ローラを加熱させ、定着ヒータの寿命を長くするとともに、コピー１枚目の転写紙の定着を適切な定着温度で行って、コピー画像の画像品質を向上させる画像形成装置を提供することを目的としている。
【００１５】
請求項３記載の発明は、ファクシミリ機能モードでのヒステリシス制御状態において、使用開始条件として、ファクシミリ受信を検出すると、ヒステリシス制御から通常動作制御に切り換えることにより、待機状態での定着ヒータのオン／オフの回数を減らすとともに、ファクシミリ受信を検出すると、速やかに定着ローラを加熱させ、定着ヒータの寿命を長くするとともに、ファクシミリ受信１枚目の転写紙の定着を適切な定着温度で行って、ファクシミリ受信画像の画像品質を向上させる画像形成装置を提供することを目的としている。
【００１６】
請求項４記載の発明は、プリンタ機能モードでのヒステリシス制御状態において、使用開始条件として、印刷要求を検出すると、ヒステリシス制御から通常動作制御に切り換えることにより、待機状態での定着ヒータのオン／オフの回数を減らすとともに、プリンタ機能の印刷要求を検出すると、速やかに定着ローラを加熱させ、定着ヒータの寿命を長くするとともに、プリント１枚目の転写紙の定着を適切な定着温度で行って、プリント画像の画像品質を向上させる画像形成装置を提供することを目的としている。
【課題を解決するための手段】
【００１７】
請求項１記載の発明の画像形成装置は、コピー機能、ファクシミリ機能、プリンタ機能等の複数の機能モードを備え、画像データに基づいて用紙にトナー画像を形成して、その配光分布の異なる複数の定着ヒータで加熱される定着ローラを用いて当該用紙上のトナー画像を当該用紙に定着させるとともに、当該定着ローラの温度を温度検出手段で検出して、当該温度検出手段の検出温度と制御目標温度に基づいて、前記複数の定着ヒータのうち点灯させる前記定着ヒータを決定し、点灯間隔テーブルを参照して当該点灯させる定着ヒータの点灯間隔を決定する画像形成装置において、前記点灯間隔テーブルとして、前記画像形成動作時に使用する画像形成時点灯間隔テーブルの他に、待機状態に前記定着ヒータがオンしているときに次の点灯間隔を決定するのに使用するオン時用点灯間隔テーブルと、待機状態に前記定着ヒータがオフしているときに次の点灯間隔を決定するのに使用するオフ時用点灯間隔テーブルと、を備え、前記待機状態時に、前記温度検出手段の検出温度と制御目標温度に基づいて、前記複数の定着ヒータのうち点灯させる前記定着ヒータを決定して、当該決定した定着ヒータがオンであるかオフであるかによって前記使用する点灯間隔テーブルとして、前記オン時用点灯間隔テーブルと前記オフ時用点灯間隔テーブルを切り換えて使用して、前記定着ローラの点灯間隔を決定するヒステリシス制御を行うとともに、当該ヒステリシス制御中に前記機能モードの使用開始条件が発生すると、当該ヒステリシス制御から前記画像形成時点灯間隔テーブルを参照して前記定着ヒータの点灯間隔を制御する通常動作制御に切り換えることにより、上記目的を達成している。
【００１８】
この場合、例えば、請求項２に記載するように、前記画像形成装置は、各種キー操作を行う操作手段を備え、前記コピー機能モードでの前記ヒステリシス制御状態において、前記使用開始条件として、前記操作手段でのキー操作、原稿のセット操作等のコピー機能の使用開始を示す操作を検出すると、前記ヒステリシス制御から前記通常動作制御に切り換えるものであってもよい。
【００１９】
また、例えば、請求項３に記載するように、前記画像形成装置は、前記ファクシミリ機能モードでの前記ヒステリシス制御状態において、前記使用開始条件として、ファクシミリ受信を検出すると、前記ヒステリシス制御から前記通常動作制御に切り換えるものであってもよい。
【００２０】
さらに、例えば、請求項４に記載するように、前記画像形成装置は、前記プリンタ機能モードでの前記ヒステリシス制御状態において、前記使用開始条件として、印刷要求を検出すると、前記ヒステリシス制御から前記通常動作制御に切り換えるものであってもよい。
【発明の効果】
【００２１】
請求項１記載の発明の画像形成装置によれば、点灯間隔テーブルとして、画像形成動作時に使用する画像形成時点灯間隔テーブルの他に、待機状態に定着ヒータがオンしているときに次の点灯間隔を決定するのに使用するオン時用点灯間隔テーブルと、待機状態に前記定着ヒータがオフしているときに次の点灯間隔を決定するのに使用するオフ時用点灯間隔テーブルと、を用意し、待機状態時に、温度検出手段の検出温度と制御目標温度に基づいて、複数の定着ヒータのうち点灯させる定着ヒータを決定して、当該決定した定着ヒータがオンであるかオフであるかによって使用する点灯間隔テーブルとして、オン時用点灯間隔テーブルとオフ時用点灯間隔テーブルを切り換えて使用して、定着ローラの点灯間隔を決定するヒステリシス制御を行うとともに、当該ヒステリシス制御中に機能モードの使用開始条件が発生すると、当該ヒステリシス制御から画像形成時点灯間隔テーブルを参照して定着ヒータの点灯間隔を制御する通常動作制御に切り換えるので、待機状態での定着ヒータのオン／オフの回数を減らすことができるとともに、機能モードの使用開始条件が発生すると、速やかに定着ローラを加熱させることができ、定着ヒータの寿命を長くすることができるとともに、１枚目の転写紙の定着を適切な定着温度で行って、画像品質を向上させることができる。
【００２２】
請求項２記載の発明の画像形成装置によれば、コピー機能モードでのヒステリシス制御状態において、使用開始条件として、各種キー操作を行う操作手段でのキー操作、原稿のセット操作等のコピー機能の使用開始を示す操作を検出すると、ヒステリシス制御から通常動作制御に切り換えるので、待機状態での定着ヒータのオン／オフの回数を減らすことができるとともに、コピー機能の使用開始条件が発生すると、速やかに定着ローラを加熱させることができ、定着ヒータの寿命を長くすることができるとともに、コピー１枚目の転写紙の定着を適切な定着温度で行って、コピー画像の画像品質を向上させることができる。
【００２３】
請求項３記載の発明の画像形成装置によれば、ファクシミリ機能モードでのヒステリシス制御状態において、使用開始条件として、ファクシミリ受信を検出すると、ヒステリシス制御から通常動作制御に切り換えるので、待機状態での定着ヒータのオン／オフの回数を減らすことができるとともに、ファクシミリ受信を検出すると、速やかに定着ローラを加熱させることができ、定着ヒータの寿命を長くすることができるとともに、ファクシミリ受信１枚目の転写紙の定着を適切な定着温度で行って、ファクシミリ受信画像の画像品質を向上させることができる。
【００２４】
請求項４記載の発明の画像形成装置によれば、プリンタ機能モードでのヒステリシス制御状態において、使用開始条件として、印刷要求を検出すると、ヒステリシス制御から通常動作制御に切り換えるので、待機状態での定着ヒータのオン／オフの回数を減らすことができるとともに、プリンタ機能の印刷要求を検出すると、速やかに定着ローラを加熱させることができ、定着ヒータの寿命を長くすることができるとともに、プリント１枚目の転写紙の定着を適切な定着温度で行って、プリント画像の画像品質を向上させることができる。
【発明を実施するための最良の形態】
【００２５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２６】
図１〜図１２は、本発明の画像形成装置の一実施例を示す図であり、図１は、本発明の画像形成装置の一実施例を適用した画像形成装置１の正面概略構成図である。
【００２７】
図１において、画像形成装置１は、給紙ユニット２の上部に本体筐体３が載置されており、給紙ユニット２内には、複数、図１では、２つの給紙カセット４ａ、４ｂが収納されている。
【００２８】
また、本体筐体３内には、その最下部に、給紙カセット５が収納されており、給紙カセットの上部に画像形成部６が配設されている。本体筐体３内の画像形成部６の上部には、画像形成済みの転写紙をスタックする転写紙スタック７が配設されており、転写紙スタック７の上部には、原稿の画像を読み取る読取部８及び各種操作を行う操作表示部９が配設されている。
【００２９】
給紙ユニット２の給紙カセット４ａ、４ｂ及び本体筐体３内の給紙カセット５には、それぞれ複数枚の転写紙を収納可能であり、各給紙カセット５は、それぞれ異なる用紙サイズの転写紙を収納可能である。給紙ユニット２の各給紙カセット４ａ、４ｂ内の転写紙は、図示しない用紙搬送機構により本体筐体３の画像形成部６に搬送される。
【００３０】
また、本体筐体３内の給紙カセット５には、給紙コロ５ａが設けられており、給紙コロ５ａが給紙カセット５内の転写紙を画像形成部６に送り出す。
【００３１】
さらに、本体筐体３の側面には、手差しトレイ１０が設けられており、手差しトレイ１０には、手差し給紙コロ１０ａが設けられていて、手差しトレイ１０上にセットされた転写紙を手差し給紙コロ１０ａが画像形成部６に給紙する。
【００３２】
読取部８は、光源と原稿が相対的に移動して、光源から原稿に照射された読取光の反射光をＣＣＤ（Charge Coupled Device ）等の光電変換素子で光電変換することにより原稿を主走査及び副走査して、当該原稿の画像を読み取る。
【００３３】
操作表示部９は、テンキー、スタートキー等の画像形成装置１を操作するのに必要な各種操作キーを備えているとともに、ＬＣＤ（Liquid Crystal Display）、ＬＥＤ（Light Emitting Diode）、７ｓｅｇ等を使用し当該操作キーの操作内容や画像形成装置１からオペレータに通知する各種情報を表示するディスプレイ（例えば、液晶ディスプレイ）を備えている。
【００３４】
そして、上記画像形成部６は、図２に示すように、感光体２０の周囲に、帯電ローラ２１、現像ユニット２２、転写ローラ２３が配設され、感光体２０と転写ローラ２３と間に転写紙を搬送する用紙搬送路２４には、図示しないレジストローラの転写紙の搬送方向手前にレジストセンサ２５が配設されており、用紙搬送路２４を介して上記給紙カセット４ａ、４ｂ、５及び手差しトレイ１０からの転写紙が、レジストローラを介して感光体２０と転写ローラ２３との間に搬送される。
【００３５】
また、転写紙の搬送方向であって感光体２０の下流側には、定着部２６が配設されており、定着部２６は、定着ローラ２７と加圧ローラ２８を備えている。
【００３６】
そして、上記現像ユニット２３は、トナーを収納するトナーケース３０内に感光体２０に対向するマグローラ３１とアジテータ３２が収納されており、トナーケース３０内には、補給用のトナーを収納するトナーボトル３３からトナーが供給される。また、トナーケース３０の下面には、トナーケース３０内のトナーの残量を検出するトナーセンサ３４が取り付けられており、トナーセンサ３４は、例えば、トナーケース３０内にトナーがあるときに、「ハイ（Ｈ）」となり、トナーケース３０内にトナーが無いときに、「ロー（Ｌ）」となるトナー検出信号を出力する。この現像ユニット２３は、トナーケース３０内のトナーをアジテータ３２が撹拌することで摩擦帯電させ、この帯電したトナーをマグローラ３１が感光体２０に供給することで、感光体２０上の静電潜像を現像する。
【００３７】
そして、上記感光体２０、帯電ローラ２１及び現像ユニット２３は、全体として図示しないカートリッジケースに収納されてトナーカートリッジ４０として構成されており、トナーカートリッジ４０毎の交換が可能である。
【００３８】
上記レジストセンサ２５は、手差しトレイ１０等から搬送されてくる転写紙の先端及び用紙状態を検知し、画像形成装置１は、このレジストセンサ２５の検出結果と感光体２０上のトナー画像の形成位置から当該感光体２０上のトナー画像の先端と転写紙の先端とが感光体２０と転写ローラ２３との接触位置で同期するようにレジストローラを駆動して、定着ローラ２３により感光体２０上のトナー画像を転写紙に転写させる。
【００３９】
そして、画像形成部６は、感光体２０を、図示しないモータにより図２の時計方向に回転駆動して、帯電ローラ２１により一様に帯電され、図示しない光書込部により画像データに基づいて変調されたレーザ光を照射させて、感光体２０上に静電潜像を形成する。画像形成部６は、静電潜像の形成された感光体２０に現像ユニット２３からトナーを供給することで現像して、トナー画像を感光体２０上に形成し、感光体２０の回転によって転写ローラ２３の位置にトナー画像の先端がくるタイミングで、上記レジストローラによって転写紙を当該転写ローラ２３に搬送させて、転写ローラ２３により感光体２０上のトナー画像を転写紙に転写する。
【００４０】
画像形成部６は、トナー画像の転写の完了した転写紙を定着部２６に搬送し、定着部２６の定着ローラ２７と加圧ローラ２８で転写紙を搬送しつつ、定着温度に加熱されている定着ローラ２７により加熱して転写紙上のトナー画像を転写紙に定着させて、図１の転写紙スタック７に排出する。
【００４１】
この画像形成装置１は、図３に示すように、回路ブロック構成されており、システム制御部５０、読取制御部５１、上記操作表示部９、書込制御部５２、Ｉ／Ｏ制御部５３、上記トナーセンサ３４、各種画像形成用Ｉ／Ｏ５４及び高圧電源部５５等を備えている。
【００４２】
読取制御部５１は、上記読取部８の動作制御を行うものであり、ＣＣＤ等の光電変換素子の動作及びそのタイミング制御を主に制御し、光電変換素子で光電変換された原稿の画像信号をデジタル信号に変換して画像データとしてシステム制御部５０に出力する。
【００４３】
システム制御部５０は、ＣＰＵ（Central Processing Unit ）、プログラムや各種システムデータを格納するＲＯＭ（Read Only Memory）、ワークメモリとして利用されるＲＡＭ（Random Access Memory）、画像形成装置１の電源がオフされたときにも記憶しておく必要のあるデータを格納する不揮発ＲＡＭ及びカレンダー機能チップ等を備え、ＣＰＵが、ＲＯＭ内のプログラムに基づいてＲＡＭをワークメモリとして利用しつつ、画像形成装置１の全体のタイミング制御、操作表示部９のデータの入出力制御、その他の図示しないアプリケーション（ファクシミリ、プリンタ、スキャナ等のアプリケーション）部とのＩ／Ｆや動作制御、画像データの画像処理（変倍処理、フィルタ処理、γ処理等）及び図示しない画像メモリを使用した画像データの蓄積・読出制御等を行う。システム制御部５０は、また、操作表示部９の制御を行う。
【００４４】
書込制御部５２は、上記図示しない光書込部のＬＤ（Laser Diode ）及びその駆動回路の動作を制御して、画像データに基づいて変調したレーザ光を感光体２０に照射させ、感光体２０に静電潜像を形成させる。
【００４５】
Ｉ／Ｏ制御部５３は、読取部８、画像形成部６等の各種センサ、アクチュエータ等の入力信号、モータ、ソレノイド、クラッチ、高圧電源等の出力信号の集約部分であり、トナーセンサ３４の出力や各サーミスタの出力及び給紙トレイ４ａ、４ｂ、５、手差しトレイ１０の用紙有無情報、サイズ情報、転写紙搬送用のレジストセンサ２５等の出力及び各種画像形成用Ｉ／Ｏ５４を介して入力される信号をＡＤＣ（アナログ・デジタル・コンバータ）でデジタル変換してシステム制御部５０に出力する。システム制御部５０は、このＩ／Ｏ制御部５３から入力される各種信号に基づいて、各種制御を実施する。
【００４６】
高圧電源部５５は、商用電源を整流・平滑・降圧して、画像形成装置１内で使用される各種ＤＣ電源や定着部２６の定着ヒータを点灯するためのヒータ電源等を生成する。
【００４７】
そして、高圧電源部５５には、図４に示すように、ＡＣ（交流）の商用電源が外部から供給され、定着部２６の定着ヒータとしてのハロゲンヒータ（Ｃ）６０ａとハロゲンヒータ（Ｅ）６０ｂが接続されている。このハロゲンヒータ（Ｃ）６０ａ及びハロゲンヒータ（Ｅ）６０ｂは、高圧電源部５５から通電されて発熱することで、定着ローラ２７を加熱し、ハロゲンヒータ（Ｃ）６０ａは、定着ローラ２７の軸方向中央部の配光分布が高く定着ローラ２７の軸方向中央部を加熱し、ハロゲンヒータ（Ｅ）６０ｂは、定着ローラ２７の軸方向端部の配光分布が高く定着ローラ２７の軸方向端部を加熱する。
【００４８】
高圧電源部５５は、上述のように、画像形成装置１の各種電源を供給するための回路を備えているとともに、定着ヒータであるハロゲンヒータ（Ｃ）６０ａ、ハロゲンヒータ（Ｅ）６０ｂを駆動するためのヒータ駆動回路を備えており、ヒータ駆動回路は、ＡＣ電源遮断用のリレーとＡＣ出力を制御するために特定周期でオン／オフするトライアック回路等を備えている。
【００４９】
高圧電源部５５には、Ｉ／Ｏ制御部５３からリレー信号とトリガ信号が入力され、高圧電源部５５からは、Ｉ／Ｏ制御部５３にゼロクロス信号を出力する。このゼロクロス信号は、ハロゲンヒータ（Ｃ）６０ａ、ハロゲンヒータ（Ｅ）６０ｂに出力するヒータ電源がＡＣ（交流）であるため、瞬間的な電圧が常に変化していて、０Ｖになる瞬間があり、このヒータ電源が０Ｖになった瞬間を検出した信号である。そして、高圧電源部５５は、システム制御部５０の制御下で、Ｉ／Ｏ制御部５３から入力されるリレー信号及びトリガ信号に基づいてハロゲンヒータ（Ｃ）６０ａ及びハロゲンヒータ（Ｅ）６０ｂをそれぞれ独立してオン／オフ駆動する。
【００５０】
そして、画像形成装置１は、待機状態が予め設定された待ち時間だけ継続すると、消費電力を削減する省電力モードに移行して、システム制御部５０は、Ｉ／Ｏ制御部５３を介して高圧電源部５５によるハロゲンヒータ（Ｃ）６０ａ、ハロゲンヒータ（Ｅ）６０ｂへの通電を制御して、定着ローラ２７の温度を低下させたり、ハロゲンヒータ（Ｃ）６０ａ、ハロゲンヒータ（Ｅ）６０ｂへの通電を停止する。定着ローラ２７は、上記省電力モードに移行したり、画像形成装置１の電源がオフされると、表面温度が、例えば、室温程度に低下し、電源投入時あるいは省電力モードからの復帰時には、ハロゲンヒータ（Ｃ）６０ａ、ハロゲンヒータ（Ｅ）６０ｂを点灯させて定着ローラ２７の温度を上昇させる。
【００５１】
一方、定着ローラ２７の温度は、温度検出手段である定着サーミスタ６１ａ及び定着サーミスタ６１ｂで検出され、Ｉ／Ｏ制御部５３を介してシステム制御部５０に入力される。この定着サーミスタ６１ａ及び定着サーミスタ６１ｂとしては、例えば、接触式サーミスタが用いられており、定着サーミスタ６１ａは、定着ローラ２７の軸方向中央部の温度を検出し、定着サーミスタ６１ｂは、定着ローラ２７の軸方向端部の温度を検出する。
【００５２】
そして、上記ハロゲンヒータ（Ｃ）６０ａで加熱され定着サーミスタ６１ａで検出される定着ローラ２７の軸方向中央部は、小サイズ（例えば、はがき、ＨＬＴ等）の転写紙の搬送時に当該小サイズの転写紙の通過する小サイズ転写紙通紙位置であり、上記ハロゲンヒータ（Ｃ）６０ｂで加熱され定着サーミスタ６１ｂで検出される定着ローラ２７の軸方向端部は、大サイズ（例えば、Ａ３サイズ）の転写紙の搬送時に当該大サイズの転写紙の上記小サイズ領域を越えた部分が通過するローラ軸受部の近傍にあたる大サイズ転写紙通紙位置である。
【００５３】
そして、定着ローラ２７が薄肉ローラである場合、小サイズの転写紙を連続して通紙すると、定着ローラ２７の中央部の定着サーミスタ６１ａのみの検出結果で定着ローラ２７の温度制御を行うと、定着ローラ２７の端部に転写紙が通紙されないため、定着ローラ２７の軸受部が過昇状態となる。
【００５４】
次に、本実施例の作用を説明する。まず、画像形成装置１による定着ローラ２７の温度制御、すなわち、ハロゲンヒータ（Ｃ）２９ａ、ハロゲンヒータ（Ｅ）２９ｂの通電制御について説明する。
【００５５】
ハロゲンヒータ（Ｃ）２９ａ、ハロゲンヒータ（Ｅ）２９ｂは、大電力を消費するため、オフからオンに切り換えるときに、高圧電源部５５からハロゲンヒータ（Ｃ）２９ａ、ハロゲンヒータ（Ｅ）２９ｂにいきなり１００％の電源供給を行うと、電源電圧が変動し、読取部８の光源のちらつき等を引き起こす。そこで、高圧電源部５５は、ハロゲンヒータ（Ｃ）２９ａ、ハロゲンヒータ（Ｅ）２９ｂへの通電のパワーを徐々に上昇させて、急激な電力の変動を防止するソフトスタート制御処理を行っている。
【００５６】
すなわち、高圧電源部５５からハロゲンヒータ（Ｃ）２９ａ、ハロゲンヒータ（Ｅ）２９ｂに供給するヒータ電源は、図５に示すように交流であり、瞬間的な電圧値は常に変化している。そして、高圧電源部５５が、このヒータ電源の電圧が０Ｖになる瞬間を検出してゼロクロス信号としてＩ／Ｏ制御部５３を介してシステム制御部５０に通知し、図５にハッチングで示すように、０Ｖから０Ｖまでの期間（半波）毎の出力を変えることで、ソフトスタート処理を行い、最終的に、半波期間全てで１００％となる出力を行う。
【００５７】
また、ハロゲンヒータ（Ｃ）２９ａ、ハロゲンヒータ（Ｅ）２９ｂは、系の遅延が大きい制御系であり、ハロゲンヒータ（Ｃ）２９ａ、ハロゲンヒータ（Ｅ）２９ｂへの通電を行うか否か、すなわち点灯するか消すかの判断は、定着ローラ２７上の定着サーミスタ６１ａ、６１ｂにより検出した温度によって行うが、ハロゲンヒータ（Ｃ）２９ａ、ハロゲンヒータ（Ｅ）２９ｂを点灯させて、このハロゲンヒータ（Ｃ）２９ａ、ハロゲンヒータ（Ｅ）２９ｂの点灯によって定着ローラ２７の温度が上昇して、定着サーミスタ６１ａ、６１ｂの検出温度が上昇し、この定着サーミスタ６１ａ、６１ｂの検出温度値をＩ／Ｏ制御部５３を介してシステム制御部５０が取り込んで温度検出することとなる。したがって、現在点灯しているハロゲンヒータ（Ｃ）２９ａ、ハロゲンヒータ（Ｅ）２９ｂによる定着ローラ２７の熱の変動は、数十ｍｓから数百ｍｓ後にならないと検出することができない。
【００５８】
ハロゲンヒータ（Ｃ）２９ａ、ハロゲンヒータ（Ｅ）２９ｂの制御系が、このような遅延の大きい特性を有しているため、ハロゲンヒータ（Ｃ）２９ａ、ハロゲンヒータ（Ｅ）２９ｂを点灯するか、消灯するかの判断は、ある時間間隔以上を開けないと温度制御のリップルが大きくなり、適切な制御を行うことができない。そこで、本実施例の画像形成装置１では、定着ヒータ制御の間隔を１秒間であるとして、以下説明する。
【００５９】
そして、ある時点において以降１秒間の定着ヒータ（ハロゲンヒータ（Ｃ）２９ａ、ハロゲンヒータ（Ｅ）２９ｂ）の制御状態を決定する。その１秒間の間に検出温度がどのように変わっても決められた制御を行うこととする。定着ヒータの制御状態（１秒間のうちどのぐらいの期間点灯するか？）を決めるパラメータとしては、種々あるが、例えば、要素として、前回制御時の中央検出温度、今の中央検出温度、中央制御温度、前回制御時の端部検出温度、今の端部検出温度、端部制御温度を用い、パラメータとしては、以下のようなものを用いる。
【００６０】
パラメータ例：
（今の中央検出温度  −  前回の中央検出温度）
（中央制御温度      −    今の中央検出温度）
（今の端部検出温度  −  前回の端部検出温度）
（端部制御温度      −    今の端部検出温度）
そして、１本のハロゲンヒータ（Ｃ）２９ａまたはハロゲンヒータ（Ｅ）２９ｂを点灯制御する場合、これらのパラメータのうち２種類を選んで、図６に例示するような点灯制御テーブル（画像形成時点等間隔テーブル）の縦軸と横軸を決定し、選ばれた点灯制御テーブル上の交点の値を１秒間のうち定着ヒータを点灯させる時間の割合（ヒータ点灯デューティ（Ｄｕｔｙ））とする。例えば、１秒期間中の３０％を点灯する場合、１秒のうち後半の０．３秒間を定着ヒータをオンする期間とし、定着ヒータがオフからオンに切り換わるに際は、上記ソフトスタート制御処理を行う。
【００６１】
すなわち、図７に示すように、それぞれ％の数値で示す期間だけ定着ヒータをオンする場合、図７に各オン期間の最初を斜めの線で示すように、ソフトスタート制御処理を行う。
【００６２】
このように、１本の定着ヒータを制御するには、最低１つの点灯制御テーブルがあれば制御することができるが、動作中や待機中等の画像形成装置１の状態によって制御を変える場合には、それぞれ状態に対応した点灯制御テーブルを用意し、画像形成装置１の状態によって点灯制御テーブルを切り換えるだけで、点灯制御を変えることができる。
【００６３】
そして、定着ヒータが２本ある場合には、上述のように、点灯制御テーブルによりヒータ点灯Ｄｕｔｙを決定する方式を用いて２本の定着ヒータを制御する方法も種々存在するが、本実施例の画像形成装置１では、点灯制御テーブルの数をより少なくする方式について説明する。
【００６４】
いま、１回の点灯制御に使用する点灯制御テーブルは、図８及び図９に示す２つであるとし、図８に示す点灯ヒータ選択用テーブルについては、２本の定着ヒータ（ハロゲンヒータ（Ｃ）２９ａ、ハロゲンヒータ（Ｅ）２９ｂ）のうちいずれの定着ヒータを点灯するのか、あるいは、両方点灯するのかを選択するのに使用し、図９に示す点灯Ｄｕｔｙ決定用テーブルについては、上記図６の点灯制御テーブルと同様にして、図８で選択した定着ヒータの点灯Ｄｕｔｙを選択するのに使用する。
【００６５】
このとき、２つのテーブルで使用する縦軸、横軸を決めるためのパラメータは、同じであってもいいし、全く違うパラメータを使用してもよい。
【００６６】
次に、２種類のテーブルを使用したヒステリシス制御処理について説明する。定着ローラ２７の定着温度制御は、上述のように、制御温度と検出温度に基づいて使用する定着ヒータ（ハロゲンヒータ（Ｃ）２９ａ、ハロゲンヒータ（Ｅ）２９ｂ）とその点灯間隔をテーブル検索により決定するが、定着ヒータ（ハロゲンヒータ（Ｃ）２９ａ、ハロゲンヒータ（Ｅ）２９ｂ）がオフからオン、オンからオフに変化する回数を少なくするために、定着ヒータ（ハロゲンヒータ（Ｃ）２９ａ、ハロゲンヒータ（Ｅ）２９ｂ）の点灯間隔を決定する際に使用するテーブルを、図９のオフ時用の点灯Ｄｕｔｙ決定用テーブル（オフ時用点灯間隔テーブル）と図１０のオン時用の点灯Ｄｕｔｙ決定用テーブル（オン時用点灯間隔テーブル）の２種類を用意し、図１１に示すようにして使い分ける。
【００６７】
すなわち、システム制御部５０は、定着ローラ２７の制御目標温度を取得し（ステップＳ１０１）、定着ローラ２７の現在温度を定着サーミスタ６１ａ、６１ｂの検出結果から取得して（ステップＳ１０２）、図８に示した点灯ヒータ選択用テーブルから制御対象の定着ヒータ（点灯ヒータ）の選択設定、すなわち、ハロゲンヒータ（Ｃ）２９ａまたはハロゲンヒータ（Ｅ）２９ｂのうち一方の選択を行う（ステップＳ１０３）。
【００６８】
そして、システム制御部５０は、当該選択設定した定着ヒータであるハロゲンヒータ（Ｃ）２９ａまたはハロゲンヒータ（Ｅ）２９ｂが現在点灯（オン）しているかチェックし（ステップＳ１０４）、点灯（オン）しているときには、図１０に示したオン時用の点灯Ｄｕｔｙ決定用テーブルを選択して（ステップＳ１０５）、当該選択したテーブルを使用してハロゲンヒータ（Ｃ）２９ａまたはハロゲンヒータ（Ｅ）２９ｂの点灯間隔を設定して、点灯制御する（ステップＳ１０６）。
【００６９】
また、ステップＳ１０４で、上記ステップＳ１０３で選択設定した定着ヒータであるハロゲンヒータ（Ｃ）２９ａまたはハロゲンヒータ（Ｅ）２９ｂが現在消灯（オフ）しているときには、システム制御部５０は、図９に示したオフ時用の点灯Ｄｕｔｙ決定用テーブルを選択して（ステップＳ１０７）、当該選択したテーブルを使用してハロゲンヒータ（Ｃ）２９ａまたはハロゲンヒータ（Ｅ）２９ｂの点灯間隔を設定して、点灯制御する（ステップＳ１０６）。
【００７０】
そして、オフ時用の点灯Ｄｕｔｙ決定用テーブルを示す図９とオン時用の点灯Ｄｕｔｙ決定用テーブルを示す図１０から分かるように、図９に示したオフ時用の点灯Ｄｕｔｙ決定用テーブルには、定着ヒータ（ハロゲンヒータ（Ｃ）２９ａ、ハロゲンヒータ（Ｅ）２９ｂ）がオン（図９の点灯Ｄｕｔｙが１００％で示されている条件）であると判断する条件を、図１０に示したオン時用の点灯Ｄｕｔｙ決定用テーブルの同じ条件と比較して、低い温度を検出したところに設定されている。
【００７１】
したがって、制御温度を変えるのと同じ効果を得ることができ、定着ヒータであるハロゲンヒータ（Ｃ）２９ａ、ハロゲンヒータ（Ｅ）２９ｂのオンからオフ、オフからオンへと切り換える回数を減らすことができる。
【００７２】
そして、画像形成装置１は、上述のように、待機状態にあるときには、ヒステリシス制御処理を行って、定着ヒータであるハロゲンヒータ（Ｃ）２９ａ、ハロゲンヒータ（Ｅ）２９ｂのオンからオフ、オフからオンへと切り換える回数を減らしているが、この待機状態で、ユーザにより画像形成装置１にコピー動作を行わせるための操作（コピー指示操作）、例えば、操作表示部９のキー入力操作、原稿の読取部８へのセット等が行われ、このコピー指示操作を検出した旨の信号がＩ／Ｏ制御部５３を介してシステム制御部５０に入力されると、システム制御部５０は、上記ヒステリシス制御から通常印刷動作中に行う画像形成時点等間隔テーブルを用いた通常印刷動作時制御へと制御状態を切り換える。
【００７３】
したがって、ヒステリシス制御処理では、定着ローラ２７の温度が最も低い温度になっていても、ユーザがコピー動作必要な各種操作を行って、最後に操作表示部９のスタートキーを押下して、コピー動作を開始する時点では、定着ローラ２７の温度を定着に必要な所定の定着温度に上昇させることができる。
【００７４】
このように、本実施例の画像形成装置１は、点灯間隔テーブルとして、画像形成動作時に使用する画像形成時点灯間隔テーブルの他に、待機状態にハロゲンヒータ６０ａ、６０ｂがオンしているときに次の点灯間隔を決定するのに使用するオン時用点灯間隔テーブルと、待機状態にハロゲンヒータ６０ａ、６０ｂがオフしているときに次の点灯間隔を決定するのに使用するオフ時用点灯間隔テーブルと、を用意し、待機状態時に、定着サーミスタ６１ａ、６１ｂの検出温度と制御目標温度に基づいて、複数のハロゲンヒータ６０ａ、６０ｂのうち点灯させるハロゲンヒータ６０ａ、６０ｂを決定して、当該決定したハロゲンヒータ６０ａ、６０ｂがオンであるかオフであるかによって使用する点灯間隔テーブルとして、オン時用点灯間隔テーブルとオフ時用点灯間隔テーブルを切り換えて使用して、定着ローラ２７の点灯間隔を決定するヒステリシス制御を行うとともに、当該ヒステリシス制御中に機能モードの使用開始条件が発生すると、当該ヒステリシス制御から画像形成時点灯間隔テーブルを参照してハロゲンヒータ６０ａ、６０ｂの点灯間隔を制御する通常動作制御に切り換えている。
【００７５】
したがって、待機状態でのハロゲンヒータ６０ａ、６０ｂのオン／オフの回数を減らすことができるとともに、機能モードの使用開始条件が発生すると、速やかに定着ローラ２７を加熱させることができ、ハロゲンヒータ６０ａ、６０ｂの寿命を長くすることができるとともに、１枚目の転写紙の定着を適切な定着温度で定着させて、画像品質を向上させることができる。
【００７６】
また、本実施例の画像形成装置１は、コピー機能モードでのヒステリシス制御状態において、使用開始条件として、各種キー操作を行う操作表示部９でのキー操作、原稿のセット操作等のコピー機能の使用開始を示す操作を検出すると、ヒステリシス制御から通常動作制御に切り換えている。
【００７７】
したがって、待機状態でのハロゲンヒータ６０ａ、６０ｂのオン／オフの回数を減らすことができるとともに、コピー機能の使用開始条件が発生すると、速やかに定着ローラ２７を加熱させることができ、ハロゲンヒータ６０ａ、６０ｂの寿命を長くすることができるとともに、コピー１枚目の転写紙の定着を適切な定着温度で定着させて、コピー画像の画像品質を向上させることができる。
【００７８】
そして、画像形成装置１は、ヒステリシス制御から通常印刷動作時制御へと切り換えるのは、上記コピー指示操作があった場合に限るものではなく、例えば、ファクシミリモードにおいて、ファクシミリ受信を検出したとき、また、画像形成装置１がパーソナルコンピュータ等に接続されていて、プリンタモードにおいて、当該パーソナルコンピュータからの印刷要求を検出したとき等にもヒステリシス制御から通常印刷動作時制御へと切り換えるようにしてもよい。
【００７９】
すなわち、図１２に示すように、システム制御部５０は、待機状態であるかチェックし（ステップＳ２０１）、待機状態でないときには、定着ローラ２７の温度制御状態の切り換えを行う必要がないため、温度制御切換処理を終了する。ステップＳ２０１で、待機状態であると、システム制御部５０は、使用モードがコピーモードであるか、ファクシミリ（ＦＡＸ）モードであるか、あるいは、プリンタモードであるかをチェックし（ステップＳ２０２）、使用モードがコピーモードであると、上記コピー指示操作（キー入力、原稿セット等）が有ったかチェックする（ステップＳ２０３）。
【００８０】
ステップＳ２０３で、コピー指示操作がないときには、システム制御部５０は、定着ローラ２７の温度制御を上記ヒステリシス制御により行い（ステップＳ２０４）、ステップＳ２０３で、コピー指示操作があると、定着ローラ２７の温度制御をヒステリシス制御から通常印刷動作時制御に切り換える（ステップＳ２０５）。
【００８１】
ステップＳ２０２で、使用モードがファクシミリ（ＦＡＸ）モードであると、システム制御部５０は、ファクシミリ（ＦＡＸ）受信があるかチェックし（ステップＳ２０６）、ファクシミリ受信がないときには、定着ローラ２７の温度制御を上記ヒステリシス制御により行い（ステップＳ２０４）、ステップＳ２０６で、ファクシミリ受信があると、定着ローラ２７の温度制御をヒステリシス制御から通常印刷動作時制御に切り換える（ステップＳ２０５）。
【００８２】
また、ステップＳ２０２で、使用モードがプリンタモードであると、システム制御部５０は、外部接続されているパーソナルコンピュータ等の情報処理装置から印刷要求があったかチェックし（ステップＳ２０７）、印刷要求がないときには、定着ローラ２７の温度制御を上記ヒステリシス制御により行い（ステップＳ２０４）、ステップＳ２０６で、印刷要求があると、定着ローラ２７の温度制御をヒステリシス制御から通常印刷動作時制御に切り換える（ステップＳ２０５）。
【００８３】
このように、本実施例の画像形成装置１は、ファクシミリ機能モードでのヒステリシス制御状態において、使用開始条件として、ファクシミリ受信を検出すると、ヒステリシス制御から通常動作制御に切り換えている。
【００８４】
したがって、待機状態でのハロゲンヒータ６０ａ、６０ｂのオン／オフの回数を減らすことができるとともに、ファクシミリ受信を検出すると、速やかに定着ローラ２７を加熱させることができ、ハロゲンヒータ６０ａ、６０ｂの寿命を長くすることができるとともに、ファクシミリ受信１枚目の転写紙の定着を適切な定着温度で定着させて、ファクシミリ受信画像の画像品質を向上させることができる。
【００８５】
また、本実施例の画像形成装置１は、プリンタ機能モードでのヒステリシス制御状態において、使用開始条件として、印刷要求を検出すると、ヒステリシス制御から通常動作制御に切り換えている。
【００８６】
したがって、待機状態でのハロゲンヒータ６０ａ、６０ｂのオン／オフの回数を減らすことができるとともに、プリンタ機能の印刷要求を検出すると、速やかに定着ローラ２７を加熱させることができ、ハロゲンヒータ６０ａ、６０ｂの寿命を長くすることができるとともに、プリント１枚目の転写紙の定着を適切な定着温度で定着させて、プリント画像の画像品質を向上させることができる。
【００８７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８８】
電子写真方式で画像形成して最終的に定着部で定着させる複写装置、ファクシミリ装置、プリンタ及び複合装置等の画像形成装置であって、定着部の定着ローラの温度制御を定着部の寿命を延ばすとともに、１枚目の画像形成時間を短縮しつつ画像品質を向上させる画像形成装置に適用することができる。
【図面の簡単な説明】
【００８９】
【図１】本発明の定着制御装置の一実施例を適用した画像形成装置の正面概略構成図。
【図２】図１の画像形成部の詳細な正面図。
【図３】図１の画像形成装置の回路ブロック構成図。
【図４】図３の定着制御系の回路ブロック構成図。
【図５】図４の高圧電源部からハロゲンヒータに供給されるソフトスタート制御処理時の電源電圧の波形図。
【図６】図４の１つのハロゲンヒータを１つの定着サーミスタの検出結果と制御温度に基づいて定着ローラを温度制御する際の点灯制御テーブルの一例を示す図。
【図７】図６の点灯制御テーブルを用いてソフトスタート制御処理を行いつつハロゲンヒータへの通電を行う場合の波形図。
【図８】図４のヒータオン時とヒータオフ時の２つの点灯制御テーブルを使用し２つのハロゲンヒータを２つの定着サーミスタの検出結果と制御温度に基づいて定着ローラを温度制御する際の点灯ヒータ選択用テーブルの一例を示す図。
【図９】図４のヒータオン時とヒータオフ時の２つの点灯制御テーブルを使用し２つのハロゲンヒータを２つの定着サーミスタの検出結果と制御温度に基づいて定着ローラを温度制御する際のヒータオフ時用の点灯Ｄｕｔｙ決定用テーブルの一例を示す図。
【図１０】図４のヒータオン時とヒータオフ時の２つの点灯制御テーブルを使用し２つのハロゲンヒータを２つの定着サーミスタの検出結果と制御温度に基づいて定着ローラを温度制御する際のヒータオン時用の点灯Ｄｕｔｙ決定用テーブルの一例を示す図。
【図１１】図３のシステム制御部によるヒータオン時とヒータオフ時の２つの点灯制御テーブルを使用した定着ローラのヒステリシス制御処理を示すフローチャート。
【図１２】図３のシステム制御部による定着ローラのヒステリシス制御から通常印刷動作時制御への切換処理を示すフローチャート。
【符号の説明】
【００９０】
１  画像形成装置
２  給紙ユニット
３  本体筐体
４ａ、４ｂ、５  給紙カセット
６  画像形成部
７  転写紙スタック
８  読取部
９  操作表示部
１０  手差しトレイ
１０ａ  手差し給紙コロ
２０  感光体
２１  帯電ローラ
２２  現像ユニット
２３  転写ローラ
２４  用紙搬送路
２５  レジストセンサ
２６  定着部
２７  定着ローラ
２８  加圧ローラ
３０  トナーケース
３１  マグローラ
３２  アジテータ
３３  トナーボトル
３４  トナーセンサ
４０  トナーカートリッジ
５０  システム制御部
５１  読取制御部
５２  書込制御部
５３  Ｉ／Ｏ制御部
５４  画像形成用Ｉ／Ｏ
５５  高圧電源部
６０ａ  ハロゲンヒータ（Ｃ）
６０ｂ  ハロゲンヒータ（Ｅ）
６１ａ、６１ｂ  定着サーミスタ
【図１】
2005202100.tif 000003
【図２】
2005202100.tif 000004
【図３】
2005202100.tif 000005
【図４】
2005202100.tif 000006
【図５】
2005202100.tif 000007
【図６】
2005202100.tif 000008
【図７】
2005202100.tif 000009
【図８】
2005202100.tif 000010
【図９】
2005202100.tif 000011
【図１０】
2005202100.tif 000012
【図１１】
2005202100.tif 000013
【図１２】
2005202100.tif 000014